(57)【特許請求の範囲】
【請求項１】
少なくとも部分的に重なり合うカバレッジセルへ追加容量を提供するブースタセルとして動作するセルを提供するブースタ基地局として無線通信システムにおいて動作するよう配置される基地局であって、
前記ブースタセルは、第１のモード及び第２のモードにおいて機能するよう動作し、
前記ブースタセルは、前記第２のモードにおいて機能しているときに提供するよりも多くの追加容量を前記第１のモードにおいて機能しているときに前記カバレッジセルへ提供し、
前記ブースタ基地局は、
当該ブースタ基地局で受け取られるアップリンク干渉の測量を実行するよう構成されるリスニングモジュールと、
前記カバレッジセルによってサービスを提供されるユーザ設備に認められるアップリンク伝送リソースを示す情報を含むアップリンクスケジューリング情報を記憶するよう構成される記憶モジュールと、
前記アップリンクスケジューリング情報に基づき前記カバレッジセルによってサービスを提供されるユーザ設備によって前記アップリンク干渉の測量に対してなされる寄与を加算することによって、前記アップリンク干渉の測量から調整されたアップリンク干渉を計算するよう構成される計算モジュールと、
前記調整されたアップリンク干渉がスイッチング基準を満足するかどうかに依存して、前記第２のモードにおいて機能することから前記第１のモードにおいて機能することへ前記ブースタセルを切り替えるよう構成されるスイッチングモジュールと
を有する、基地局。
【請求項２】
前記カバレッジセルを提供するカバレッジ基地局から追加容量の要求を受け取るよう構成される要求受信モジュールを更に有し、
前記リスニングモジュールは、前記要求に応答して、前記ブースタ基地局で受け取られる前記アップリンク干渉の測量を実行するよう構成される、
請求項１に記載の基地局。
【請求項３】
前記記憶モジュールにおける記憶のためにカバレッジ基地局から前記アップリンクスケジューリング情報を受け取るよう構成されるスケジューリング情報受信モジュールを更に有する、請求項１に記載の基地局。
【請求項４】
前記スケジューリング情報受信モジュールは更に、前記アップリンクスケジューリング情報の部分としての前記記憶モジュールにおける記憶のために、隣接セルにサービスを提供する隣接基地局からスケジューリング情報を受け取るよう構成され、前記隣接基地局からのスケジューリング情報は、それらの隣接基地局によって夫々サービスを提供されるユーザ設備に認められるアップリンク伝送リソースを示す、
請求項３に記載の基地局。
【請求項５】
前記アップリンクスケジューリング情報は、過去のサブフレームについてユーザ設備に認められたアップリンク伝送リソースを示す情報を含む、
請求項１に記載の基地局。
【請求項６】
前記アップリンクスケジューリング情報は、将来のサブフレームについてユーザ設備に認められるアップリンク伝送リソースを示す情報を含む、
請求項１に記載の基地局。
【請求項７】
前記アップリンクスケジューリング情報によって示される前記アップリンク伝送リソースは、前記カバレッジセルによってサービスを提供されるユーザ設備に認められると常に推測され得るサブフレームを含む、
請求項１に記載の基地局。
【請求項８】
前記アップリンクスケジューリング情報によって示される前記アップリンク伝送リソースは、前記カバレッジセルによってサービスを提供されないユーザ設備に認められると常に推測され得るサブフレームを含む、
請求項１に記載の基地局。
【請求項９】
前記アップリンクスケジューリング情報によって示される前記アップリンク伝送リソースは、前記カバレッジセルによってサービスを提供されるユーザ設備に認められると常に推測され得る周波数領域のリソースを含む、
請求項１に記載の基地局。
【請求項１０】
前記アップリンクスケジューリング情報によって示される前記アップリンク伝送リソースは、前記カバレッジセルによってサービスを提供されないユーザ設備に認められると常に推測され得る周波数領域のリソースを含む、
請求項１に記載の基地局。
【請求項１１】
前記周波数領域のリソースは、サブキャリアごとに特定される、
請求項９又は１０に記載の基地局。
【請求項１２】
前記アップリンクスケジューリング情報によって示される前記アップリンク伝送リソースは、空間領域において定義される伝送リソースを含む、
請求項１に記載の基地局。
【請求項１３】
前記スイッチング基準は、全てのアップリンク伝送リソースにわたる前記アップリンク干渉の測量の和に対する前記調整されたアップリンク干渉の比に基づく、
請求項１に記載の基地局。
【請求項１４】
前記スイッチング基準は閾値である、
請求項１に記載の基地局。
【請求項１５】
前記第２のモードは、前記ブースタ基地局がカバレッジ基地局へ如何なる追加の容量も提供しない休止モードである、
請求項１に記載の基地局。
【請求項１６】
第１のモードにおいて機能することから第２のモードにおいて機能することへ基地局のセルを切り替えるべきかどうかを決定する方法であって、少なくとも部分的に重なり合うカバレッジセルへ追加容量を提供するブースタセルとして動作するセルを提供するブースタ基地局として無線通信システムにおいて動作するよう配置される基地局において使用され、前記ブースタセルは、第１のモード及び第２のモードにおいて機能するよう動作し、前記ブースタセルは、前記第２のモードにおいて機能しているときに提供するよりも多くの追加容量を前記第１のモードにおいて機能しているときに前記カバレッジセルへ提供する、方法において、
前記ブースタ基地局で受け取られるアップリンク干渉の測量を実行し、
前記カバレッジセルによってサービスを提供されるユーザ設備に認められるアップリンク伝送リソースを示す情報を含むアップリンクスケジューリング情報に基づき、前記カバレッジセルによってサービスを提供されるユーザ設備によって前記アップリンク干渉の測量に対してなされる寄与を加算することによって、前記アップリンク干渉の測量から調整されたアップリンク干渉を計算し、
前記調整されたアップリンク干渉がスイッチング基準を満足するかどうかに依存して、前記第２のモードにおいて機能することから前記第１のモードにおいて機能することへ前記ブースタセルを切り替える
方法。
【請求項１７】
請求項１乃至１５のうちいずれか一項に記載の基地局と、カバレッジセルとして動作するセルを提供するカバレッジ基地局として無線通信ネットワークにおいて動作するよう配置される第２の基地局とを備える無線通信システムであって、
前記カバレッジセルは、該カバレッジセルへ追加容量を提供するブースタ基地局によってブースタセルとして動作するセルと少なくとも部分的に重なり合い、
前記ブースタセルは、第１のモード及び第２のモードにおいて機能するよう動作し、
前記ブースタセルは、前記第２のモードにおいて機能しているときに提供するよりも多くの追加容量を前記第１のモードにおいて機能しているときに前記カバレッジセルへ提供し、
前記カバレッジ基地局は、
当該カバレッジ基地局でのトラフィック負荷が閾値を超える場合に前記ブースタ基地局へ追加の容量の要求を送信するよう構成される追加容量要求モジュールと、
前記カバレッジセルによってサービスを提供されるユーザ設備に認められるアップリンク伝送リソースを識別する情報を含むアップリンクスケジューリング情報を前記ブースタ基地局へ送信するよう構成されるスケジューリング情報送信モジュールと
を有する、無線通信システム。
【請求項１８】
アクセスノードでプロセッサによって実行される場合に、前記アクセスノードを請求項１乃至１５のうちいずれか一項に記載の基地局として機能させるコンピュータプログラム。
【請求項１９】
第１のモードにおいて機能することから第２のモードにおいて機能することへ基地局のセルを切り替えるべきかどうかを決定するコンピュータプログラムであって、少なくとも部分的に重なり合うカバレッジセルへ追加容量を提供するブースタセルとして動作するセルを提供するブースタ基地局として無線通信システムにおいて動作するよう配置される基地局において使用され、前記ブースタセルは、第１のモード及び第２のモードにおいて機能するよう動作し、前記ブースタセルは、前記第２のモードにおいて機能しているときに提供するよりも多くの追加容量を前記第１のモードにおいて機能しているときに前記カバレッジセルへ提供する、コンピュータプログラムにおいて、
実行される場合に、前記基地局に、
前記ブースタ基地局で受け取られるアップリンク干渉の測量を実行させ、
前記カバレッジセルによってサービスを提供されるユーザ設備に認められるアップリンク伝送リソースを示す情報を含むアップリンクスケジューリング情報に基づき、前記カバレッジセルによってサービスを提供されるユーザ設備によって前記アップリンク干渉の測量に対してなされる寄与を加算することによって、前記アップリンク干渉の測量から調整されたアップリンク干渉を計算させ、
前記調整されたアップリンク干渉がスイッチング基準を満足するかどうかに依存して、前記第２のモードにおいて機能することから前記第１のモードにおいて機能することへ前記ブースタセルを切り替えさせる
コンピュータプログラム。
【発明の詳細な説明】
【技術分野】
【０００１】
本発明は、無線通信ネットワークの分野にあり、特に、モバイル通信システムの基地局におけるエネルギ節約方法、同システムにおいて動作するカバレッジ基地局、並びに基地局のための方法及びコンピュータプログラムに関する。本発明の実施形態は、高トラフィックの時点でカバレッジセルへ追加の容量を提供し且つ低トラフィックの時点でエネルギ節約又は休止モードへ切り替えられるセルを有するブースタ基地局として又はそのような基地局において使用されるのに適する。
【０００２】
特に、しかし排他的にではなく、本発明は、例えば、３６シリーズ（特に、３ＧＰＰＴＳ３６．４２３Ｖ１０．０．０のような仕様書３６．ｘｘｘ及びそれに関連した文書）及びリリース９，１０並びにその後の３ＧＰＰ仕様シリーズにおいて記載されるような標準のＬＴＥ（Long  Term  Evolution）及びＬＴＥ−Ａｄｖａｎｃｅｄ無線技術グループに準拠する無線通信方法に関する。
【背景技術】
【０００３】
Ｅｖｏｌｖｅｄ  ＵＴＲＡＮ（Ｅ−ＵＴＲＡＮ）は、ＬＴＥ及びＬＴＥ−Ａｄｖａｎｃｅｄ技術における高データレート、低レイテンシー及びパケット最適化無線アクセスネットワークへと向かう３ＧＵＭＴＳ無線アクセスネットワークＵＴＲＡＮの発展である。Ｅ−ＵＴＲＡＮアーキテクチャは、例えば、３ＧＰＰＴＲ３６．４０１（特に、セクション６）において記載されており、その開示は参照により本願に援用される。
【０００４】
現在のＵＭＴＳシステムにおいて見られるように、ＬＴＥ（結果として、ＬＴＥ−Ａｄｖａｎｃｅｄ）の基本アーキテクチャは、基地局として動作するアクセスノード（Ｅ−ＵＴＲＡＮノードＢ，ｅＮＢ）へユーザ（すなわち、より正確には、ユーザ設備（ＵＥ））を接続する無線アクセスネットワーク（Ｅ−ＵＴＲＡＮ）を有する。また、それらのアクセスノードは、コアネットワーク（Evolved  Packet  Core，ＥＰＣ）へ連結される。ｅＮＢはＥ−ＵＴＲＡ（Evolved  Universal  Terrestrial  Radio  Access）にＵＥへのユーザプレーン及び制御プレーンプロトコル端を提供する。ｅＮＢ（語“ｅＮＢ”は、本願において“アクセスノード”とともに同義的に使用される。）は、Ｘ２インタフェースによって互いと相互接続される。ｅＮＢはＳ１インタフェース（Ｓ１は、ｅノードＢとコアネットワークとの間のインタフェースである。）によってＥＰＣへも、より具体的には、Ｓ１−ＭＭＥによってモバイルマネジメントエンティティ（ＭＭＥ）へ、更にＳ１ユーザプレーン（Ｓ１−Ｕ）によってサービングゲートウェイ（Ｓ−ＧＷ）へ接続される。Ｓ１インタフェースは、ＭＭＥ／サービングゲートウェイとｅＮＢとの間の多対多の関係をサポートする。
【０００５】
Ｅ−ＵＴＲＡＮ無線インタフェースプロトコルアーキテクチャの更なる詳細は、例えば、３ＧＰＰＴＲ３６．３００において記載されている。その開示は、参照により本願に援用される。
【０００６】
ｅＮＢは、周波数分割双方向（ＦＤＤ）モード、時分割双方向（ＴＤＤ）モード又はデュアルモード動作をサポートしてよい。ｅＮＢは、Ｘ２を介したシグナリングのために相互接続されてよい。Ｘ２は、２つのｅＮＢの間の論理インタフェースであってよい。ｅＮＢ間のポイント・ツー・ポイントのリンクを論理的に表す一方、物理的な認識はポイント・ツー・ポイントのリンクである必要はない。Ｘ２インタフェースは、例えば仕様シリーズ３ＧＰＰＴＳ３６．４２ｘにおいて、より詳細に記載されている。その開示は、参照により本願に援用される。
【０００７】
基地局（それらの動作モード及び／又はネットワーク配置によって‘ブースタ基地局’として指定されるｅＮＢであってよい。）は、それらが動作しているときにエネルギを消費する。従って、カバレッジ基地局がそれ自身のカバレッジセルにおいてトラフィック負荷を扱うのに十分な容量を有する時に、ブースタ基地局は、ほとんど又は全くエネルギを消費しない休止モードにおいてそのセルを稼動することができる。
【０００８】
例えば、３ＧＰＰリリース９において紹介された基地局のエネルギ節約機能は、ブースタ基地局のセルが必要とされる場合にネットワークにおいて追加の容量を提供し且つブースタ基地局が別なふうに低エネルギモードにおいてセルを稼動することへ変化する（すなわち、セルをオフする）ことを可能にする。基地局、例えば拡張ノード基地局（ｅＮＢ）は、そのセルをオフすると自立的に決定してよく、セルは、ピア基地局（これもｅＮＢであってよい。）からの要求によって再びアクティブにされてよい。
【０００９】
図１及び図２に係る以下の例及びそれらの図自体は、インタｅＮＢ及びインタＲＡＴシナリオのためのエネルギ節約法を要約する技術リポートＴＲ３６．９２７“Potential  Energy  Saving  Solutions  for  E-UTRAN”に基づく。更なる詳細は、ＴＲ３６．９２７において見つけられ得る。それらの各バージョンは、参照により本願に援用される。当然、ここでの議論は具体的にＥ−ＵＴＲＡＮインタフェースに関するが、本発明の実施形態はＥ−ＵＴＲＡＮ技術に制限されない。
【００１０】
図１は、Ｅ−ＵＴＲＡＮセルＣ、Ｄ、Ｅ、Ｆ及びＧがＥ−ＵＴＲＡＮセルＡ及びＢによってカバーされるインタｅＮＢエネルギ節約シナリオを示す。ここで、セルＡ及びＢは、基本カバレッジを提供するよう配置されており、一方、他のＥ−ＵＴＲＡＮセルは、必要とされる場合に容量を増やす。追加の容量を提供する幾つかのセルがもはや必要とされない場合に、それらはエネルギ最適化のためにオフされてよい。この場合において、ＬＴＥカバレッジ及びサービスＱｏＳの連続性が保証される。
【００１１】
図２は、Ｅ−ＵＴＲＡＮセルＣ、Ｄ、Ｅ、Ｆ及びＧが全体的に同じレガシＲＡＴセルＡ及びＢ（例えば、ＵＭＴＳ又はＧＳＭ(登録商標)）によってカバーされるインタＲＡＴ（無線アクセス技術）エネルギ節約シナリオを示す。セルＡ／Ｂは、エリア内でサービスの基本カバレッジを提供するよう配置されており、一方、他のＥ−ＵＴＲＡＮセルは容量を増やす。
【００１２】
それら２つのエネルギ節約シナリオにおいてエネルギ節約を達成するよう、如何にして容量ブースタＥ−ＵＴＲＡＮセルが休止モードに入り又はそのモードから起動するのかにおいて相違する２つの基本的アプローチが使用され得る。それらのアプローチは：
１．ＯＡＭ（Operation  and  Maintenance）に基づくアプローチ：Ｅ−ＵＴＲＡＮセルは、カバレッジ及び／又はＧＥＲＡＮ（ＧＳＭ／ＥＤＧＥ無線アクセスネットワーク）／ＵＴＲＡＮ／Ｅ−ＴＲＡＮセルから得られる統計情報（例えば、負荷情報、トラフィックＱｏＳクラスインジケータ（ＱＣＩ）等）に基づきなされる中央集権的ＯＡＭ決定に基づき休止モードに出入りする。ＯＡＭ決定は、Ｅ−ＵＴＲＡＮセルへ直接に示されても、又は再設定されてもよい。
２．シグナリングに基づくアプローチ：Ｅ−ＵＴＲＡＮセルは、自立的に又は、ＵＴＲＡＮ／ＧＥＲＡＮカバレッジセルと交換される情報に基づき、休止モードに入ると決定してよい。スイッチオフ決定／要求は、カバレッジ及びＥ−ＵＴＲＡＮセルの両方の負荷情報を含む、Ｅ−ＵＴＲＡＮノードで局所的に利用可能な情報に基づく。スイッチオンは、１又はそれ以上の隣接インタＲＡＴノードからの要求に基づき又は、内部Ｅ−ＵＴＲＡＮノードポリシー（周期的なスイッチオン、最大スイッチオフ時間等）に基づき行われてよい。
【００１３】
この文脈におけるＯＡＭは、基地局の特定のパラメータの何らかの設定に関与する論理エンティティをいい、モード（例えば、伝送モード）は、それらの設定の１つであってよい。特に、基地局のデフォルト設定は、通常はＯＡＭ論理エンティティによって設定され、基地局へ示される。ＯＡＭは、所与の基地局での利用可能な伝送モードを、サポートされるモードのサブセットとして決定し、基地局は、例えば現在の状態に依存して、所与の端末に使用すべき特定のモードに関する局所的な決定を行う。更に、実際のネットワークにおけるトラフィック負荷はしばしば、空間的な意味において不規則に分配する。これにより、幾つかのセルは頻繁にモード間で不必要に切り替えられ、従って、エネルギ節約の達成が妨げられる。よって、近傍におけるトラフィック負荷の増大によって強いられる容量要件を満足する場合に適切な休止セルのみをより高い容量モードへ切り替えることが望まれる。
【００１４】
それらの基本アプローチはある程度のエネルギ節約を達成することができるが、更なる改善を要求する幾つかの課題が存在する。幾つかの容量ブースタセルが休止モードにあり、負荷がカバレッジセルにおいて増大する場合に、カバレッジセルは、起動すべき最も適切なブースタセルを知らないことがある。過負荷のカバレッジセルは、アンブレラセル（カバレッジセル）の範囲内にある全てのホットスポット（ブースタ基地局のセル）に起動を要求してよい。これは、最も最適でない方法であり、特に負荷状況が動的である場合に、全体的に如何なるエネルギ節約も無効にすることがある。
【発明の概要】
【課題を解決するための手段】
【００１５】
本発明の実施形態に従って、少なくとも部分的に重なり合うカバレッジセルへ追加容量を提供するブースタセルとして動作するセルを提供するブースタ基地局として無線通信システムにおいて動作するよう配置される基地局であって、
前記ブースタセルは、第１のモード及び第２のモードにおいて機能するよう動作し、
前記ブースタセルは、前記第２のモードにおいて機能しているときに提供するよりも多くの追加容量を前記第１のモードにおいて機能しているときに前記カバレッジセルへ提供し、
前記ブースタ基地局は、
当該ブースタ基地局で受け取られるアップリンク干渉の測量を実行するよう構成されるリスニングモジュールと、
前記カバレッジセルによってサービスを提供されるユーザ設備に認められるアップリンク伝送リソースを示す情報を含むアップリンクスケジューリング情報を記憶するよう構成される記憶モジュールと、
前記アップリンクスケジューリング情報に基づき前記カバレッジセルによってサービスを提供されないユーザ設備によって前記アップリンク干渉の測量に対してなされる寄与を前記アップリンク干渉の測量から減じることによって、調整されたアップリンク干渉を計算するよう構成される計算モジュールと、
前記調整されたアップリンク干渉がスイッチング基準を満足するかどうかに依存して、前記第２のモードにおいて機能することから前記第１のモードにおいて機能することへ前記ブースタセルを切り替えるよう構成されるスイッチングモジュールと
を有する、基地局が提供される。
【００１６】
有利に、かかる実施形態は、より低い容量又は休止モードにおいて動作するブースタセルが、追加の容量を要求するカバレッジセルによってサービスを提供されるアクティブなＵＥによって引き起こされるアップリンク干渉と、他の隣接セルによってサービスを提供されるＵＥからの干渉とを区別することを可能にすることによって、ブースタセルの選択的起動が追加容量要求を満足することを可能にする。これは、最も適切なブースタセルがより低い容量又は休止モードを脱して、要求元のカバレッジセルにおけるトラフィック増大に追加の容量を効果的に提供することができることを意味する。ブースタセルは、カバレッジセルからブースタセルへの１又はそれ以上のＵＥのハンドオーバを介して追加の容量を提供する。
【００１７】
ブースタ基地局は、カバレッジ基地局のカバレッジセルと少なくとも部分的に重なり合うセルを有するアクセスノードであり、それにより、そのセルは、別なふうにカバレッジセルによってサービスを提供されるユーザ設備にサービスを提供してよい。ブースタ基地局はｅＮＢであってよく、そのセルはＥ−ＵＴＲＡＮセルであってよい。フェムト基地局が存在するネットワークアーキテクチャにおいて、フェムト基地局はブースタ基地局として機能する。ブースタ基地局は更に、カバレッジ基地局から自身へオフロードされる又はハンドオーバされるユーザ設備を有するよう構成される。
【００１８】
カバレッジ基地局として動作する基地局は、カバレッジセルへ追加の容量を提供するよう構成される他の基地局（ブースタ基地局）のセル（ブースタセル）と部分的に重なり合うカバレッジセルとして動作されるセルを有するアクセスノードである。カバレッジ基地局はｅＮＢであってよく、そのセルはＥ−ＵＴＲＡＮセルであってよい。代替的に、カバレッジ基地局はＵＭＴＳ、ＧＳＭ、又はＧＥＲＡＮ基地局であってよく、そのセルがカバーするエリア内でサービス基本カバレッジを提供し、近隣のｅＮＢは、トラフィック負荷が高い場合にカバレッジセルにおける負荷を軽減するようブースタセルを有するブースタ基地局として機能する。
【００１９】
ブースタ基地局は、そのブースタセルを少なくとも２つのモードにおいて動作させることができる。すなわち、第２のモードは単純にオフされる（が、依然としてカバレッジ基地局から信号を受信することができる）ことであり、それによりブースタセルは如何なるＵＥにもサービスを提供せず、また、第１のモードはオンされることであり、それによりブースタセルはＵＥにサービスを提供する。第２のモードは休止モードと記載されることがあり、第１のモードへの切り替えは従って‘起動’と称されることがある。２つのモードの間の主な違いは、ブースタセルがカバレッジセルによってサービスを提供されている又は別なふうにサービスを提供されたユーザ設備から扱うことができるトラフィックの量が、第２のモードよりも第１のモードで高いことである。更なる違いとして、第２のモードは第１のモードよりも電力消費が少なく、それにより第２のモードにおいてブースタセルを動作させることでエネルギが節約される。それらのモードは、少なくとも上記の主な違い（場合により更なる違いも）が２つのモードの間に当てはまる限り、ブースタセルの‘動作モード’であると考えられてよく、あるいは、‘伝送モード’であると考えられてよい。すなわち、第１及び第２のモードは、ブースタ基地局がブースタセルを動作させるよう構成される２よりも多いモードの中のいずれか２つであってよい。
【００２０】
リスニングモジュールは、ブースタ基地局で受け取られるアップリンク干渉の測量を実行するよう構成される。測量の実行は、単純に、全体的なアップリンク干渉電力のレベルを測定することであってよい。測量の実行は、伝送リソースの範囲について特定の伝送リソースにおいて受け取られる電力を記録することを含んでよい。よって、リスニングモジュールによって集められて計算モジュールへ送られるアップリンク干渉の測量において、受け取られる総電力は、特定の伝送リソースのための成分に分けられる。リスニングモジュールによって測量されるアップリンク干渉は、伝送リソースの範囲に散在してよく、よって測量は、伝送リソースごとに受け取られるアップリンク伝送電力の記録である。測量される伝送リソースの範囲と、測量における伝送リソースの範囲の分割とは、実施に特有である。例えば、範囲及び分割は、通信ネットワークのフレーム及びサブフレーム構造と、通信ネットワークにおける周波数割当とに基づき、予め定義されてよい。伝送リソースは、タイミング（サブフレーム）、周波数、又は空間（方向）リソースに従って分割されてよい。同様に、アップリンクスケジューリング情報は、どの時間、周波数又は空間伝送リソースが、カバレッジセルによってサービスを提供されるＵＥに認められているのかを示す情報を含んでよく、更に時間同期情報を含んでよい。
【００２１】
アップリンク干渉はブースタ基地局の視点から考えられ、それにより休止モード（スイッチオフ）では、全てのアップリンク信号が、いずれもリスニングブースタ基地局を対象としていないためにアップリンク干渉に寄与し、結果として、アップリンク干渉は全てのアップリンク伝送である。幾つかの実施形態では、カバレッジセルによってサービスを提供されるＵＥからのアップリンク伝送によって引き起こされる総体的な干渉の増大が特に重要である。ブースタ基地局がより軽いモードで幾らかの容量を提供する実施形態で、‘アップリンク干渉の測量’（すなわち、アップリンク干渉の事前調整）において含まれるアップリンク伝送電力成分は、ブースタ基地局を対象としていない伝送からのみである。計算モジュールはまた、アップリンク干渉の測量から総体的なアップリンク干渉レベルを計算するよう構成されてよい。総体的なアップリンク干渉レベルは、調整されたアップリンク干渉の計算において又は、熱雑音の計算において使用されてよい。調整されたアップリンク干渉は、特定の伝送リソースにわたって受け取られるアップリンク干渉電力の成分の組であってよく、あるいは、アップリンクスケジューリング情報によって（カバレッジセルによってサービスを提供されるＵＥからであることから）除かれない伝送リソースの成分の和を表す調整されたアップリンク干渉レベルであってよい。
【００２２】
本発明の実施形態は、カバレッジ基地局からの追加容量の要求を受け取るよう構成される要求受信モジュールを更に有してよい。かかる実施形態で、リスニングモジュールは、要求に応答してブースタ基地局で受け取られるアップリンク干渉の測量を実行するよう構成される。有利に、要求受信モジュールを有する実施形態において、リスニングモジュールは、ブースタセルが追加の容量を提供するよう求められる場合にのみ測量を実行するよう構成されてよく、従って、ブースタ基地局は、追加の容量が必要とされない場合に測量を実行することによって不必要にエネルギを消費しない。
【００２３】
随意的に、本発明の実施形態は、記憶モジュールにおける記憶のためにカバレッジ基地局からアップリンクスケジューリング情報を受け取るよう構成されるスケジューリング情報受信モジュールを更に有してよい。かかる実施形態は、例えばアップリンクスケジューリング情報及び／又は時間同期のための情報に関して、休止ブースタセルを有するブースタ基地局とセル起動を要求するカバレッジ基地局のカバレッジセルとの間の情報交換を可能にする。この情報は、追加の容量を要求するカバレッジ基地局のカバレッジセルによってサービスを提供されるアクティブなＵＥによって引き起こされる干渉を他の隣接セルによってサービスを提供されるＵＥによるものと区別するために、ブースタ基地局によって使用され得る。これは、潜在的に休止セルによってサービスを提供されるＵＥからのアップリンク伝送を識別するために使用される測定の実効性を改善することによって、達成される。従って、必要とされる場合に、最も適切なブースタセルは、それらのより低い容量又は休止モードを脱して、要求元のカバレッジセルにおけるトラフィックの増大に対して追加の容量を効果的に提供することができる。
【００２４】
更なる任意的な機能として、スケジューリング情報受信モジュールはまた、スケジューリング情報の部分として記憶モジュールにおける記憶のために隣接セルにサービスを提供する基地局からアップリンクスケジューリング情報を受け取るよう構成されてよく、隣接基地局からのスケジューリング情報は、それらの隣接基地局によって夫々サービスを提供されるユーザ設備に認められるアップリンク伝送リソースを示す。計算モジュールがカバレッジセル以外のセルによってサービスを提供されるＵＥに認められる伝送リソースに関する情報を有する場合に、ブースタセルによって扱われ得るカバレッジセルによって扱われるトラフィックの量の真の表示を提供することに関する調整されたアップリンク干渉の正確性が改善される。更に、ブースタ基地局は、隣接基地局へ容量を有効に提供することができようとできなかろうと、アクセスすることができる。
【００２５】
カバレッジ基地局及び場合により他の隣接するアクセスノードにから受け取られるスケジューリング情報は、過去のサブフレームについてユーザ設備に認められたアップリンク伝送リソースを示す情報を含んでよい。有利に、これは、計算モジュールが、調整されたアップリンク干渉を得るよう過去にリスニングモジュールによって収集された測量データを使用することを可能にする。従って、リスニングモジュールは、測量を実行し始めるよう計算モジュールが利用可能であるアップリンクスケジューリング情報を待つ必要がなく、生成のための全体的な時間は短縮される。
【００２６】
更なる選択肢として、スケジューリング情報は、代替的に又は追加的に、将来のサブフレームについてユーザ設備に認められるアップリンク伝送リソースを示す情報を含んでよい。すなわち、スケジューリング情報は、カバレッジ基地局が追加の容量を要求したかどうかにかかわらず、アクセスノード間で交換される。スケジューリング情報は、他の信号と抱き合わされて又は専用の別個の信号として、周期的に基地局間で送信されてよい。有利に、将来のサブフレームについてのアップリンクスケジューリング情報を含めることによって、計算モジュールは、アップリンク干渉の測量から調整されたアップリンク干渉を計算し始めるようスケジューリング情報を待つ必要がなく、利用可能な関連する時間期間に予め情報を有する。
【００２７】
アップリンクスケジューリング情報の正確な性質は、実施と、如何にしてリソースが要求時にネットワーク又はシステムにおいて割り当てられるのかとに依存する。例えば、異なるセルによってサービスを提供されるＵＥへのアップリンクリソースの割当は、静的、動的、又はそれら２つの混合であってよい。随意的に、スケジューリング情報によって示されるアップリンク伝送リソースは、カバレッジセルによってサービスを提供されるユーザ設備に認められると常に推測され得るサブフレームを含む。代替的に又は追加的に、スケジューリング情報によって示されるアップリンク伝送リソースは、カバレッジセルによってサービスを提供されないユーザ設備に認められると常に推測され得るサブフレームを含む。サブフレームアップリンク伝送リソースとともに、又はそれに代えて、スケジューリング情報によって示されるアップリンク伝送リソースは、カバレッジセルによってサービスを提供されるユーザ設備に認められると常に推測され得る周波数領域のリソースを含む。先と同じく、上記のアップリンク伝送リソースのいずれかの組み合わせとともに、又はそれに代えて、スケジューリング情報によって示されるアップリンク伝送リソースは、カバレッジセルによってサービスを提供されないユーザ設備に認められると常に推測され得る周波数領域のリソースを含む。すなわち、アップリンク伝送リソースの割当が少なくとも部分的に動的であるシステムにおいてさえ、カバレッジセルによってサービスを提供されるＵＥに認められると常に推測され得る、あるいは、カバレッジセルによってサービスを提供されるＵＥに認められない、特定の伝送リソースが存在してよい。有利に、いずれの場合にも、アップリンクスケジューリング情報は、カバレッジセルによってサービスを提供されるＵＥによるアップリンク干渉と他のセルによってサービスを提供されるＵＥによるアップリンク干渉とを計算モジュールで区別することを可能にすることによって、カバレッジセルの負荷を軽減することが必要とされる場合を評価すべきブースタ基地局の能力を改善する。
【００２８】
幾つかの通信システムにおいて、空間伝送リソースは、特定のセルによってサービスを提供されるＵＥに認められてよい。かかるシステムでは、スケジューリング情報によって示されるアップリンク伝送リソースは、空間領域において定義される伝送リソースを含む。
【００２９】
随意的に、周波数領域のリソースは、サブキャリアごとに特定される。ＬＴＥのようなＯＦＤＭに基づくプロトコルにおいて、夫々のＯＦＤＭサブキャリアは、別個のリソースとして考えられてよい。代替的に、サブキャリアの１又はそれ以上のグループは、１又はそれ以上のＲＢのバンド幅を占有することができる。ＲＢの割り当ては必ずしも連続的ではなく、ビットマップとしてアップリンクスケジューリング情報において表されてよい。
【００３０】
アップリンクスケジューリング情報を用いて得られる調整されたアップリンク干渉は、追加の容量を提供してカバレッジセルにおける負荷を軽減するためにブースタセルが扱うことができるカバレッジセルによって目下扱われているアップリンクデータトラフィックの量の表示を提供する。従って、調整されたアップリンク干渉は、ブースタセルのモードを切り替えるべきか否かを決定するための改善された指標を表す。正確には、如何にして調整されたアップリンク干渉がモードを切り替えるべきかどうかを決定するに際して使用されるのかは、実施間で様々であり、閾値との単純な比較に基づいてよい。決定は、‘スイッチング基準’に基づく。随意的に、スイッチング基準は、熱雑音に対する調整されたアップリンク干渉の比に基づき、カバレッジセルによってサービスを提供されるＵＥによって引き起こされる熱雑音に対するアップリンク干渉における増大（上昇）（熱雑音に対する調整されたアップリンク干渉の比の具体的な指標）に基づいてよい。有利に、熱雑音に対する干渉の上昇は、信号対干渉及び雑音の比を反映し、従って、容量を増やしてカバレッジセルにおける負荷を軽減するようブースタセルがカバレッジセルから引き継ぐことができるトラフィック負荷を決定するために使用され得る。例えば、調整されたアップリンク干渉との比較において多大な熱雑音が存在する場合に、カバレッジセルに代わってトラフィックを扱うブースタセルの能力は妨げられる。そのような場合に、ブースタセルを第１のモードへ切り替えることにより得られる利点は、電力消費の増大を正当化しないことがある。他方で、調整されるアップリンク干渉との比較においてほとんど熱雑音が存在しない場合に、ブースタセルは、第２のモードから第１のモードへの切り替えに付随する追加の電力消費を正当化するようカバレッジセルに代わって十分なトラフィックを引き継ぐことができる。
【００３１】
スイッチング基準が調整されたアップリンク干渉と熱雑音との比に基づくか否かに関わらず、スイッチング基準は単純な閾値であってよい。そのような実施形態は、実施するのが簡単であり且つ矛盾しない。しかし、調整されたアップリンク干渉と熱雑音との比の値の時間にわたるローリング平均のような他の技術が使用され、閾値と比較されてよい。代替的に、閾値は単純な値でなくてもよく、閾値を超えるべき調整されたアップリンク干渉レベル又は調整されたアップリンク干渉と熱雑音との比の単純な測定の割合であってよい。
【００３２】
本発明はまた、第１のモードにおいて機能することから第２のモードにおいて機能することへ基地局のセルを切り替えるべきかどうかを決定する方法であって、少なくとも部分的に重なり合うカバレッジセルへ追加容量を提供するブースタセルとして動作するセルを提供するブースタ基地局として無線通信システムにおいて動作するよう配置される基地局において使用され、前記ブースタセルは、第１のモード及び第２のモードにおいて機能するよう動作し、前記ブースタセルは、前記第２のモードにおいて機能しているときに提供するよりも多くの追加容量を前記第１のモードにおいて機能しているときに前記カバレッジセルへ提供する、方法において、
前記ブースタ基地局で受け取られるアップリンク干渉の測量を実行し、
前記カバレッジセルによってサービスを提供されるユーザ設備に認められるアップリンク伝送リソースを示す情報を含むアップリンクスケジューリング情報に基づき、前記カバレッジセルによってサービスを提供されないユーザ設備によって前記アップリンク干渉の測量に対してなされる寄与を前記アップリンク干渉の測量から減じることによって、調整されたアップリンク干渉を計算し、
前記調整されたアップリンク干渉がスイッチング基準を満足するかどうかに依存して、前記第２のモードにおいて機能することから前記第１のモードにおいて機能することへ前記ブースタセルを切り替える
方法として具現されてよい。
【００３３】
本発明の実施形態はまた、カバレッジセルとして動作するセルを提供するカバレッジ基地局として無線通信ネットワークにおいて動作するよう配置される基地局であって、
前記カバレッジセルは、該カバレッジセルへ追加容量を提供するブースタ基地局によってブースタセルとして動作するセルと少なくとも部分的に重なり合い、
前記ブースタセルは、第１のモード及び第２のモードにおいて機能するよう動作し、
前記ブースタセルは、前記第２のモードにおいて機能しているときに提供するよりも多くの追加容量を前記第１のモードにおいて機能しているときに前記カバレッジセルへ提供し、
前記カバレッジ基地局は、
当該カバレッジ基地局でのトラフィック負荷が閾値を超える場合に前記ブースタ基地局へ追加の容量の要求を送信するよう構成される追加容量要求モジュールと、
前記カバレッジセルによってサービスを提供されるユーザ設備に認められるアップリンク伝送リソースを識別する情報を含むアップリンクスケジューリング情報を前記ブースタ基地局へ送信するよう構成されるスケジューリング情報送信モジュールと
を有する、基地局を含む。
【００３４】
他の態様において、本発明は、ここで記載されるブースタ基地局実施形態のいずれかに従うブースタ基地局として動作する基地局と、ここで記載されるカバレッジ基地局実施形態のいずれかに従うカバレッジ基地局として動作する基地局とを有する無線通信システムにおいて具現されてよい。
【００３５】
他の態様において、本発明は、アクセスノードでプロセッサによって実行される場合に、アクセスノードをここで記載される基地局実施形態のいずれかに従う基地局として機能させ、又はアクセスノードにここでの実施形態のいずれかにおいて詳述される方法を実行させるコンピュータプログラムにおいて具現されてよい。
【図面の簡単な説明】
【００３６】
【図１】Ｅ−ＵＴＲＡＮブースタセルがＥ−ＵＴＲＡＮカバレッジセルＡ及びＢによってカバーされるインタｅＮＢエネルギ節約シナリオを示す。
【図２】Ｅ−ＵＴＲＡＮブースタセルが全体的に同じレガシＲＡＴセルＡ及びＢ（例えば、ＵＭＴＳ又はＧＳＭ）によってカバーされるインタＲＡＴエネルギ節約シナリオを示す。
【図３】本発明の実施形態が実施されるネットワーク環境の例示である。
【図４】本発明を具現するブースタ基地局１０の例示である。
【図５】本発明を具現する通信システムにおいて使用されるシグナリングを含むフローチャートである。
【発明を実施するための形態】
【００３７】
本発明の実施形態の詳細な説明は、純粋に一例として、添付の図面を参照して与えられる。
【００３８】
図３は、本発明の実施形態が実施されるネットワーク環境の例示である。カバレッジ基地局はカバレッジセルを有する。カバレッジセル内では、３つのブースタ基地局（ブースタ１、ブースタ２、ブースタ３）がブースタセルを有する。セルＡ及びＢはブースタ１によってサービスを提供されるセル、互い、及びカバレッジセルと重なり合っていることが分かる。多数のＵＥが表されており、それらの幾つかは、カバレッジセル、セルＡ及びセルＢの１又はそれ以上によってカバーされる。カバレッジ基地局は、カバレッジセルにおけるトラフィック負荷の増大に応答して、カバレッジセルと重なり合ったセルを有するブースタ基地局（ブースタ１、ブースタ２、ブースタ３）へ追加容量の要求を送信するよう動作する。次いで、リスニングモジュールを有するブースタ基地局は、その特定のブースタ基地局でのアップリンク干渉を測量するよう動作する。基地局ブースタ１は、カバレッジセルのみならずセルＡ及びセルＢとも重なり合うセルを有する。従って、ブースタ１で受け取られるアップリンク干渉電力は、セルＡ、セルＢ又はカバレッジセルによってサービスを提供されるＵＥからである。
【００３９】
図４は、本発明を具現するブースタ基地局１０（単に‘ブースタ基地局’とも本明細書において呼ばれる。）として動作する基地局の例示である。実施形態は、モジュールの夫々がそれらの機能を実行するのに必要とされる機能を提供する限り、ブースタ基地局の特定のハードウェア構成によって制限されない。モジュールは別個のエンティティとして表されているが、それらは共通のハードウェアを共有してよく、例えば、シグナリングモジュール１５及びリスニングモジュール１１は同じ受信器を用いて機能してよい。ブースタ基地局１０は、リスニングモジュール１１と、記憶モジュール１２と、計算モジュール１３と、スイッチングモジュール１４とを有する。任意の追加モジュールとして、ブースタ基地局１０は、要求受信モジュール及び／又はスケジューリング情報受信モジュールとして機能するよう動作するシグナリングモジュール１５を更に有する。これらのモジュールは互いにデータを伝送するよう動作する。
【００４０】
リスニングモジュール１１は、無線受信器を有するか、又はそれへのアクセスを有する。リスニングモジュール１１は更に、プロセッサを有するか、又はそれへのアクセスを有する。リスニングモジュール１１は、ブースタ基地局１０で受け取られるアップリンク干渉の測量を実行するよう動作する。測量は、アップリンク伝送リソースの範囲にわたって受け取られるアップリンク干渉電力のレベルを記録することのみならず、その電力のどの成分が特定の伝送リソースで受け取られたかを記録することも含んでよい。アップリンク干渉電力を成分に分けるために使用される伝送リソースの正確な細分化は、実施に依存し、特に、カバレッジセル又はブースタセルの通信プロトコルにおけるアップリンク伝送のためにＵＥに認められるアップリンク伝送リソースの分割を反映してよい。リスニングモジュール１１は、測量結果を表すデータを記憶のために記憶モジュール１２へ及び／又は更なる処理のために計算モジュール１３へ送るよう動作する。
【００４１】
アップリンク干渉の測量は、熱雑音レベルを表す値を与えるよう、リスニングモジュール１１又は計算モジュール１３のいずれかで、その成分にわたって加算されてよい。ある実施において、熱雑音レベルは、ブースタ基地局１０でモードを切り替えるべきかどうかを評価する基準としての使用のために、カバレッジセルによってサービスを提供されるＵＥによって引き起こされる熱雑音レベルに対する干渉の上昇の指標を得るようスイッチングモジュール１４によって使用される。熱雑音レベルＮ０は、（式１）：
【数１】
0005748024.tif 000002
によって簡単に与えられてよい。Ｅ（ｆｉ，ｔｉ）は、伝送リソースｆｉ（周波数）及びｔｉ（時間）における受け取られたアップリンク電力である。式１は、熱雑音に起因すると仮定されるバックグラウンド雑音レベルの指標を推定する簡単な方法である。式１は、全てのリソースにわたって足し合わせることによって熱雑音レベルを推定する。これは、システムの負荷が軽い、すなわち、ほとんどのリソースがデータ伝送を含まないか、又はそれらが（例えば、遠くのＵＥから）無視できるほど十分に低い電力しか有さない場合に、適している。
【００４２】
実施に依存して、記憶モジュール１２は、ハードディスクのような長期記憶装置であってよく、あるいは、シグナリングモジュール１５によって受け取られた又はリスニングモジュールから送信されたデータを計算モジュール１３によって読み出されるまで保持するよう構成される短期記憶装置であってよい。記憶モジュール１２は、カバレッジセルによってサービスを提供されるユーザ設備に認められるアップリンク伝送リソースを示す情報を含むアップリンクスケジューリング情報を記憶するよう構成される。すなわち、アップリンクスケジューリング情報は、記憶モジュールに予めロードされてよい。代替的に、アップリンクスケジューリング情報は、カバレッジ基地局自体によって、ネットワークにおける他のアクセスノードによって、又はネットワークアーキテクチャにおけるより高位のレベル（例えば、ＬＴＥシステムにおける拡張パケットコア）によって、シグナリングモジュール１５へ送られてよく、次いで、アップリンクスケジューリング情報は、シグナリングモジュール１５によって記憶モジュール１２へ送られる。
【００４３】
アップリンクスケジューリング情報は：
・（前に記憶された測量データが計算モジュールによって適切に処理されることを可能にする）前のサブフレームにおける伝送についてＵＥに認められたアップリンク伝送リソースの識別；
・将来のサブフレームにおける伝送についてＵＥに認められるアップリンク伝送リソースの識別；
・カバレッジセルによってサービスを提供されるＵＥからのアップリンク伝送を含まないと推測され得るサブフレームの識別（これは、サブフレームのビットマップによって又はその他形態において示されてよい。）；
・カバレッジセルによってサービスを提供されるＵＥからのアップリンク伝送を常に含むと推定され得るサブフレームの識別；
・カバレッジセルによってサービスを提供されるＵＥからのアップリンク伝送を含まないと推定され得る周波数領域のリソース（すなわち、リソースブロック（ＲＢ））の識別（これは、周波数領域におけるＲＢのビットマップによって示されてよい。）；
・カバレッジセルによってサービスを提供されるＵＥからのアップリンク伝送を常に含むと推定され得る周波数領域のリソース（ＲＢ）の識別；
を含み、
・更に、アップリンクスケジューリング情報は、カバレッジ基地局とブースタ基地局との間の時間オフセットが確立されることを可能にする時間同期情報を含むか、あるいは、それと共に伝送又は記憶されてよく、それにより、ブースタ基地局１０は、カバレッジセルにおけるスケジューリングされた伝送に関する正確な情報を有することができる。
【００４４】
計算モジュール１３は、リスニングモジュール１１自体からリスニングモジュール１１によって実行された測量を表すデータを受信し、又は記憶モジュール１２からデータを得るよう動作する。計算モジュール１３はまた、カバレッジセルによってサービスを提供されるユーザ設備に認められるアップリンク伝送リソースを示すアップリンクスケジューリング情報を記憶モジュール１２から受信又は取得するよう動作する。計算モジュール１３は、カバレッジセル以外のセルによってサービスを提供されるＵＥのアップリンク伝送をアップリンク干渉の測量から除いて調整されたアップリンク干渉を得るためにアップリンクスケジューリング情報を用いるよう動作する。調整されたアップリンク干渉は、全てのアップリンク干渉の全体に比べて、ブースタセルがカバレッジセルから受け継ぐことができるトラフィック負荷のより正確な指標である。
【００４５】
実施選択肢として、計算モジュール１３は、スイッチングモジュール１４による使用のために熱雑音レベルＮ０の推定を計算するよう構成されてよい。熱雑音レベルは、式１、すなわち、全ての伝送リソースにわたる和を用いて計算されてよい（‘全て’は、潜在的なアップリンク伝送リソースの全所定範囲であってよい。）。代替的に、アップリンクスケジューリング情報は、どの伝送リソースＣがカバレッジセルによって使用されるのかを識別し且つそれらを計算から除くために計算モジュール１３に利用可能であってよい。そのような実施において、熱雑音レベルＮ０は、（式２）：
【数２】
0005748024.tif 000003
によって与えられる。実際には、伝送される電力が十分にないことが知られている、又は合理的に推定され得る場合に、バックグラウンド雑音リソースの測定にのみ含まれることが望ましい。従って、熱雑音レベルは、カバレッジセルによってサービスを提供されるＵＥが伝送しているリソースを除いてよい。これは式２をもたらす。
【００４６】
スイッチングモジュール１４は、調整されたアップリンク干渉がスイッチング基準を満足するかどうかに依存して、第２のモードにおいて機能することから第１のモードにおいて機能することへブースタセルを切り替えるよう構成される。スイッチングモジュール１４は、閾値又はその基準との比較のためのフォーム準備において計算モジュール１３からデータを受け取ってよい。あるいは、スイッチングモジュール１４は、調整されたアップリンク干渉及び熱雑音レベルのような生の数字を計算モジュール１３から受け取り、それらに対してスイッチング基準との比較の前に更なる処理を実行してよい。特定の実施において、カバレッジセルによってサービスを提供されるＵＥによって引き起こされる熱に対する干渉の増大を表す値は、計算モジュール１３で、又は計算モジュール１３からのデータを用いてスイッチングモジュール１４で、計算される。カバレッジセルによってサービスを提供されるＵＥに起因する熱に対する干渉の増大は、次のように（式３）：
【数３】
0005748024.tif 000004
によって表され得る。ここで、Ｅ（ｆｉ，ｔｊ）は、周波数ｆｉ及び時間ｔｊに対応する伝送リソースで測定される受信アップリンク伝送電力である。リソースＣの設定は、カバレッジセルによってサービスを提供されるＵＥからの伝送に対応する伝送リソースに制限され、それにより、ｉ及びｊがＣの一員である場合に、Ｅ（ｆｉ，ｔｊ）は、計算モジュール１３によって計算される調整されたアップリンク干渉である。
【００４７】
スイッチングモジュール１４は、カバレッジセルによってサービスを提供されるＵＥによる熱に対する干渉の増大（Ｉ０ＴＣ）を閾値と比較し、閾値が超えられる場合は、ブースタ基地局がブースタセルを動作させるモードに切り替えるよう動作する。代替的に、スイッチング基準は、単純な閾値よりも複雑であってよく、多くのＩ０ＴＣの値が、例えば、多数の時間サンプルにわたって得られてよく、それらの値のある割合が閾値を超える場合に、スイッチング基準は満足され、モードが切り替えられる。実施に依存して、他の統計的手法が、Ｉ０ＴＣがスイッチング基準を満足するか否かを決定するために使用され得る。
【００４８】
追加的に、熱に対する干渉の増大は、計算モジュール１３によって離接セル（例えば、図３におけるセルＡ又はセルＢ）について定義されてよく、この場合に、リソースＮの組は、アップリンクスケジューリング情報が示す伝送リソースであり、隣接セルによって使用される。隣接セルについての熱に対する干渉の増大は、（式４）：
【数４】
0005748024.tif 000005
によって与えられる。隣接セルについての熱に対する干渉の増大は、ブースタセルが隣接セルによって目下サービスを提供されているトラフィックを扱うために使用されるようにアクティブにされる（モードを切り替えられる）かどうかの指示として使用されてよい。一例として、隣接セルは、カバレッジセルと同じｅノードＢによって制御されるものであってよい。
【００４９】
十分なアップリンクスケジューリングが利用可能である実施形態において、熱雑音レベルＮ０は、他のセルによって目下使用されているアップリンク伝送リソースを除くことによって見つけられてよい。例えば、カバレッジセルを制御する同じｅノードＢによって制御される他のセルにおいて使用されているリソースは容易に除かれ得る。更に、隣接セル（すなわち、それらの制御しているｅノードＢ）がそれらのセルにおいて使用されているリソースに関するアップリンクスケジューリング情報を提供している場合に、それらのリソースもノイズ推定から除かれ得る。そのような実施形態において、式５：
【数５】
0005748024.tif 000006
が、Ｎ０を見つけるために使用される。式３によって与えられるようなＩ０Ｔの指標は、“熱”に対する干渉の増大を反映する。ここで、“熱”は、カバレッジセルを制御するｅノードＢの制御下にない、すなわち、その認識の外にある干渉を含む。これは、カバレッジセルによってサービスを提供されるＵＥからの干渉の相対的有意性の正確な評価を与える。
【００５０】
図５は、本発明を具現し且つＬＴＥプロトコルに従って動作する通信システムにおいて使用されるシグナリングを含むフローチャートである。システムは、ユーザ設備２１と、カバレッジ基地局の例である要求元基地局３１と、ブースタ基地局の例である第１及び第２の基地局１０ａ、１０ｂとを有する。隣接基地局４１及びユーザ設備２２はシステムの一部であってもなくてもよいが、カバレッジ基地局３１のカバレッジセルによってサービスを提供されず且つブースタ基地局１０ａ及び１０ｂで干渉として受け取られるアップリンク伝送を送信するユーザ設備２２の例示として含まれる。
【００５１】
カバレッジ基地局３１は、ブースタ基地局１０ａ及び１０ｂの位置を認識する。ブースタ基地局１０ａ及び１０ｂは両方とも最初は第２のモードにあり、例えばオフされている。ＵＥ２１は、カバレッジ基地局３１へ接続される。ユーザ設備２２は、隣接基地局４１へ接続される。
【００５２】
ステップＳ１０１で、カバレッジ基地局３１でのトラフィック負荷が閾値を超える。これは、この特定の実施において、追加容量の要求をトリガする。カバレッジ基地局３１は、その近傍にあるブースタ基地局を選択して、選択された基地局へセル起動要求を送る。カバレッジ基地局３１は、ブースタ基地局１０ａ及び１０ｂの正確な位置を認識しており、更に、重いトラフィック負荷が起こっているカバレッジセル内のエリアも認識しており、従って、多数の局所的なブースタ基地局の中からブースタ基地局１０ａ及び１０ｂを選択することができる。代替的に、カバレッジ基地局３１は、単に、少なくとも部分的にカバレッジセルと重なり合うセルを有する２つのブースタ基地局１０ａ及び１０ｂが存在することを認識しており、従って、セル起動要求はそれら２つの基地局へ送信される。更なる代替案として、カバレッジ基地局３１は、局所的なブースタ基地局が動作している現在のモードを（シグナリングを介して）認識しており、ブースタ基地局１０ａ及び１０ｂは、それらがカバレッジセルに余分の容量を提供するよう切り替えられ得るモードにおいて動作しているとの事実に基づき、セル起動要求のあて先として選択される。
【００５３】
ステップＳ１０２で、カバレッジ基地局３１は、ブースタ基地局１０ａへ及びブースタ基地局１０ｂへセル起動要求メッセージを送信する。セル起動要求メッセージは、ブースタ基地局１０ａ及び１０ｂの夫々のシグナリングモジュール１５によって受信される。
【００５４】
ステップＳ１０３で、セル起動要求の受信に応答して、ブースタ基地局１０ａ及び１０ｂの夫々のリスニングモジュール１１はそれらのリスニング機能をオンし、それらの近傍にあるアクティブなＵＥによって引き起こされるアップリンク干渉の測量を実行する。
【００５５】
ステップＳ１０４で、カバレッジ基地局３１は、調整されるアップリンク干渉の計算における使用及び場合により他の計算のためにブースタ基地局１０ａ及び１０ｂへアップリンクスケジューリング情報を送る。
【００５６】
ステップＳ１０５で、カバレッジ基地局３１から受信されたアップリンクスケジューリング情報及びアップリンク干渉の測量を用いて、ブースタ基地局１０ａ及び１０ｂの夫々の計算モジュール１３は、セル起動要求の源（カバレッジセル）以外の基地局によってサービスを提供されるＵＥによって引き起こされる干渉を除くようアップリンク干渉の測量を調整するよう動作する。結果、すなわち、調整されたアップリンク干渉は、例えば式３を用いてＩ０ＴＣの値を見つけることによって、エリア内の平均干渉レベルとの比較において使用される。ステップＳ１０５はまた、スイッチングモジュール１４の機能を含み、この実施においては、スイッチング基準としてＩ０ＴＣの所定の閾値を使用し、閾値が超えられる場合に第２のモードにおいて機能するようそのブースタセルを切り替える。
【００５７】
図５に表される例では、ブースタ基地局１０ａによって測定されるＩ０ＴＣの値は閾値を超え、ブースタ基地局１０ａのブースタセルは、そのスイッチングモジュール１４によって、その第１のモードにおいて機能するよう切り替えられる。第１のモードは、この例では単純に、オンされることである。ステップＳ１０６で、ブースタ基地局１０ａのシグナリングモジュール１５は、そのブースタセルがセル起動要求に応答してオンされたことを示すカバレッジ基地局３１への応答を送信するよう構成される。これに反して、ブースタ基地局１０ｂによって測定されるＩ０ＴＣの値は閾値を超えず、ブースタ基地局１０ｂはそのスイッチングモジュール１４によって切り替えられず、従って、そのブースタセルはその第２のモードのままである。第２のモードは、この例では単純に、オフされることである。ステップＳ１０７で、ブースタ基地局１０ｂのシグナリングモジュール１５は、セル起動要求に応答してオフのままであることを示すカバレッジ基地局３１への応答を送信するよう構成される。
【００５８】
ステップＳ１０８で、ブースタ基地局１０ａのブースタセルによってサービスを提供される、カバレッジ基地局３１へ接続された１又はそれ以上のＵＥは、ブースタ基地局１０ａのアクティブにされたブースタセルへ（ハンドオーバを介して）オフロードされる。
【００５９】
コンピュータプログラム実施形態では、コンピュータプログラムが実行されるアクセスノードは、それが有意に機能する特定の通信プロトコルによって制限されない。例となるアクセスノードは、ＬＴＥプロトコルにおけるｅＮＢ及びフェムト基地局を含む。
【００６０】
上記の態様のいずれかにおいて、様々な特徴は、ハードウェアにおいて、あるいは、１又はそれ以上のプロセッサにおいて実行されるソフトウェアモジュールとして、実施されてよい。１つの態様の特徴は、他の態様のいずれかに適用されてよい。
【００６１】
本発明はまた、ここで記載されている方法のいずれかを実行するためのコンピュータプログラム又はコンピュータプログラムプロダクトと、ここで記載されている方法のいずれかを実行するためのプログラムを記憶したコンピュータ読取可能媒体とを提供する。
【００６２】
本発明を具現するコンピュータプログラムは、コンピュータ読取可能媒体に記憶されてよく、あるいは、それは、例えば、インターネットウェブサイトから提供されるダウンロード可能なデータ信号のような信号の形をとってよく、あるいは、それは、何らかの他の形をとってよい。
【図１】
0005748024.tif 000007
【図２】
0005748024.tif 000008
【図３】
0005748024.tif 000009
【図４】
0005748024.tif 000010
【図５】
0005748024.tif 000011